(57)【要約】【課題】アークと固定接触子の接点部以外との接触を確実に防止してアークを確実に消弧させることが可能な電磁接触器を提供する。【解決手段】所定距離を保って配置された一対の固定接触子１１１，１１２と、該一対の固定接触子に対して接離可能に配置された可動接触子１３０とを備えた接点装置１００を備え、前記一対の固定接触子１１１，１１２に、前記可動接触子と接触する接点部１１８ａ以外を覆うとともに、前記固定接触子１１１，１１２を固定保持する絶縁板１０５の内面を覆う絶縁カバー１２１を装着している。【選択図】図１
2014099374.tif 000002
【特許請求の範囲】
【請求項１】
所定距離を保って配置された一対の固定接触子と、該一対の固定接触子に対して接離可能に配置された可動接触子とを備えた接点装置を備え、
前記一対の固定接触子に、前記可動接触子と接触する接点部以外を覆うとともに、前記固定接触子を固定保持する絶縁板の内面を覆う絶縁カバーを装着したことを特徴とする電磁接触器。
【請求項２】
前記一対の固定接触子は、接点収納ケースの天面に所定間隔を保って支持された支持導体部と、該支持導体部の前記接点収納ケース内の端部に連結された上板部と、該上板部の他方の支持導体部とは反対側から下方に延長する中間板部と、該中間板部の前記下端から前記他方の支持導体部側に延長する上面に接点部を形成した下板部とでＣ字状に形成されたＣ字状部とを備え、
前記絶縁カバーは、前記Ｃ字状部を、少なくとも接点部を露出させ、且つ前記可動接触子との対向面及び当該対向面に連接する側面を覆うカバー本体と、該カバー本体の前記上板部の側面を覆う側板部から前記絶縁板の内面に沿って延長する延長部とで構成されていることを特徴とする請求項１に記載の電磁接触器。
【請求項３】
前記絶縁カバーは、前記一対の固定接触子のＣ字状部の上板部及び中間板部の内面を覆うＬ字状部と、該Ｌ字状部の側縁から前記Ｃ字状部の側面を覆うように延長する側板部と、該側板部の前記支持導電部に対向する上端から内方に延長して前記支持導電部に形成された小径部に嵌合する嵌合部と、前記側板部の上端から前記絶縁板の内面に沿って延長する延長部とを備えていることを特徴とする請求項２に記載の電磁接触器。
【発明の詳細な説明】
【技術分野】
【０００１】
本発明は、所定間隔を保って配置された一対の固定接触子と、これら固定接触子に接離可能に配置された可動接触子とを有する電磁接触器に関する。
【背景技術】
【０００２】
電流路の開閉を行う電磁接触器として、例えば、通電路に介挿された固定接触子及び可動接触子を有する接点機構であって、接点機構は固定接触子をＣ字形状（Ｕ字形状又はＪ字形状）として、通電時に固定接触子及び可動接触子間に発生する開極方向の電磁反発力に抗するローレンツ力を発生するようにした電磁接触器が提案されている（例えば、特許文献１参照）。
【先行技術文献】
【特許文献】
【０００３】
【特許文献１】特開２０１２−２８２５２号公報
【発明の概要】
【発明が解決しようとする課題】
【０００４】
ところで、上記特許文献１に記載された従来例にあっては、一対の固定接触子をＣ字形状として開放部を互いに向き合わせた状態で配置するとともに、Ｃ字状の中間部に可動接触子を配置し、この可動接触子を電磁石で引き下げることにより、可動接触子を所定の接触圧で一対の固定接触子に接触させるようにしている。
しかしながら、上記従来例では、Ｃ字形状の固定接触子の中間部に可動接触子を配置しているので、可動接触子が固定接触子に接触している閉極状態から可動接触子を固定接触子から離間させる開極状態とするときに、発生するアークが固定接触子上を動いたり、アーク先端が固定接触子の接点部以外の部分で短絡したりするという問題点がある。
【０００５】
この問題点を解決するために、固定接触子の接点部以外の部分を絶縁カバーで覆うことが考えられるが、固定接触子のみを絶縁カバーで覆っても、固定接触子は絶縁板に支持されており、この絶縁板と絶縁カバーとは組立の際に必要とするクリアランスを設けるとともに、部品バラツキによっても絶縁カバーと絶縁板との間にクリアランスが生じるので、このクリアランスから伸長したアークが入り込み固定接触子の上部と短絡することでアーク電圧が低下してアークの遮断が不完全となるという未解決の課題がある。
そこで、本発明は、上記従来例の未解決の課題に着目してなされたものであり、アークと固定接触子の接点部以外との接触を確実に防止してアークを確実に消弧させることが可能な電磁接触器を提供することを目的としている。
【課題を解決するための手段】
【０００６】
上記目的を達成するために、本発明に係る電磁接触器の第1の態様は、所定距離を保って配置された一対の固定接触子と、該一対の固定接触子に対して接離可能に配置された可動接触子とを備えた接点装置を備え、前記一対の固定接触子に、前記可動接触子と接触する接点部以外を覆うとともに、前記固定接触子を固定保持する絶縁板の内面を覆う絶縁カバーを装着している。
【０００７】
この構成によると、固定接触子の可動接触子と接触する接点部以外が絶縁カバーで覆われるので、固定接触子に可動接触子が接触している投入状態から、可動接触子が固定接触子から離間する際にアークが発生しても、このアークの端部が固定接触子上を動くことを確実に防止することができる。また、絶縁カバーが固定接触子を固定保持する絶縁板の内面を覆うので、アークが絶縁板の固定接触支持部に回り込むことを確実に防止することができる。したがって、伸長したアーク先端が固定接触子と接触してアークが短絡してアーク電圧が低下することを確実に防止することができる。
【０００８】
また、本発明に係る電磁接触器の第２の態様は、前記一対の固定接触子は、接点収納ケースの天面に所定間隔を保って支持された支持導体部と、該支持導体部の前記接点収納ケース内の端部に連結された上板部と、該上板部の他方の支持導体部とは反対側から下方に延長する中間板部と、該中間板部の前記下端から前記他方の支持導体部側に延長する上面に接点部を形成した下板部とでＣ字状に形成されたＣ字状部とを備え、前記絶縁カバーは、前記Ｃ字状部を、少なくとも接点部を露出させ、且つ前記可動接触子との対向面及び当該対向面に連接する側面を覆うカバー本体と、該カバー本体の前記上板部の側面を覆う側板部から前記絶縁板の内面に沿って延長する延長部とで構成されている。
【０００９】
この構成によると、固定接触子がＣ字状部に形成されているので、接点装置の閉極時に固定接触子及び可動接触子の接点部に電磁反発力が発生したとしても、Ｃ字状部で電磁反発力に抗するローレンツ力を発生することができる。その後に、固定接触子から可動接触子が離間する際に、固定接触子及び可動接触子間にアークが発生したときに、絶縁カバーによって接点部のみが露出されているので、アークが固定接触子上を動いて電流経路が変化することを確実に防止することができるとともに、アークが絶縁板の固定接触子支持部に回り込むことを確実に防止することができる。
【００１０】
また、本発明に係る電磁接触器の第３の態様は、前記絶縁カバーは、前記一対の固定接触子のＣ字状部の上板部及び中間板部の内面を覆うＬ字状部と、該Ｌ字状部の側縁から前記Ｃ字状部の側面を覆うように延長する側板部と、該側板部の前記支持導電部に対向する上端から内方に延長して前記支持導電部に形成された小径部に嵌合する嵌合部と、前記側板部の上端から前記絶縁板の内面に沿って延長する延長部とを備えている。
この構成によると、絶縁カバーの嵌合部を支持導電部に形成された小径部に嵌合させるだけで、固定接触子に組込むことができ、絶縁カバーの組込みを容易に行うことができる。
【発明の効果】
【００１１】
本発明によれば、固定接触子をＬ字状部やＣ字状部を有して、投入状態での電磁反発力に抗するローレンツ力を発生する構成とした場合に、固定接触子の接点部以外が絶縁カバーで覆われているので、投入状態から釈放状態とする際に発生するアークが固定接触子上を動くことを確実に防止することができる。また、アーク先端が固定接触子を支持する絶縁板の支持部に回り込むことを確実に防止して、アークが接点部以外の部分で短絡することも防止することができる。したがって、遮断電圧が上昇してもアークを安定的に伸長することができ、アークの消弧を確実に行って電流を確実に遮断することができる。
【図面の簡単な説明】
【００１２】
【図１】本発明に係る電磁接触器の第１の実施形態を示す断面図である。
【図２】図１の接点収納ケースを示す分解斜視図である。
【図３】接点装置のＡ−Ａ線上の断面図である。
【図４】接点機構の絶縁カバーを示す図であって、（ａ）は上面側から見た斜視図、（ｂ）は底面側から見た斜視図である。
【図５】絶縁カバーの装着方法を示す斜視図である。
【図６】絶縁筒体を示す斜視図である。
【図７】電磁石ユニットの分解斜視図である。
【図８】本発明の接点装置の変形例を示す図であって、（ａ）は断面図、（ｂ）は斜視図である。
【図９】本発明の接点装置の他の変形例を示す図であって、（ａ）は断面図、（ｂ）は斜視図である。
【発明を実施するための形態】
【００１３】
以下、本発明の実施の形態を図面に基づいて説明する。
図１は本発明に係る電磁開閉器の一例を示す断面図、図２は接点収納ケースの分解斜視図である。この図１及び図２において、１０は電磁接触器であり、この電磁接触器１０は接点機構を配置した接点装置１００と、この接点装置１００を駆動する電磁石ユニット２００とで構成されている。
接点装置１００は、図１及び図２から明らかなように、接点機構１０１を収納する接点収納ケース１０２を有する。この接点収納ケース１０２は、図２（ａ）に示すように、金属製の下端部に外方と突出するフランジ部１０３を有する金属角筒体１０４と、この金属角筒体１０４の上端を閉塞する平板状のセラミック絶縁基板で構成される固定接点支持絶縁基板１０５とを備えている。
【００１４】
金属角筒体１０４は、そのフランジ部１０３が後述する電磁石ユニット２００の上部磁気ヨーク２１０にシール接合されて固定されている。
また、固定接点支持絶縁基板１０５には、中央部に後述する一対の固定接触子１１１及び１１２を挿通する貫通孔１０６及び１０７が所定間隔を保って形成されている。この固定接点支持絶縁基板１０５の上面側における貫通孔１０６及び１０７の周囲及び下面側における角筒体１０４に接触する位置にメタライズ処理が施されている。そして、固定接点支持絶縁基板１０５が角筒体１０４の上面にロウ付けされている。
【００１５】
接点機構１０１は、図６に示すように、接点収納ケース１０２の固定接点支持絶縁基板１０５の貫通孔１０６及び１０７に挿通されて固定された一対の固定接触子１１１及び１１２を備えている。これら固定接触子１１１及び１１２のそれぞれは、固定接点支持絶縁基板１０５の貫通孔１０６及び１０７に挿通される上端に外方に突出するフランジ部１１３を有する支持導体部１１４と、この支持導体部１１４に連結されて固定接点支持絶縁基板１０５の下面側に配設され内方側を開放したＣ字状部１１５とを備えている。
【００１６】
Ｃ字状部１１５は、固定接点支持絶縁基板１０５の下面に沿って外側に延長する上板部１１６とこの上板部１１６の外側端部から下方に延長する中間板部１１７と、この中間板部１１７の下端側から上板部１１６と平行に内方側すなわち固定接触子１１１及び１１２の対面方向に延長する下板部１１８とで中間板部１１７及び下板部１１８で形成されるＬ字状に上板部１１６を加えたＣ字状に形成されている。
【００１７】
ここで、支持導体部１１４とＣ字状部１１５とは、支持導体部１１４の下端面に突出形成されたピン１１４ａをＣ字状部１１５の上板部１１６に形成された貫通孔１２０内に挿通した状態で例えばロウ付けによって固定されている。なお、支持導体部１１４及びＣ字状部１１５の固定は、ロウ付けに限らず、ピン１１４ａを貫通孔１２０に嵌合させたり、ピン１１４ａに雄ねじを形成し、貫通孔１２０に雌ねじを形成して両者を螺合させたりしてもよい。
【００１８】
また、固定接触子１１１及び１１２のＣ字状部１１５における中間板部１１７の内側面を覆うように、平面から見てＣ字状の磁性体板１１９が装着されている。このように、中間板部１１７の内側面を覆うように磁性体板１１９を配置することにより、中間板部１１７を流れる電流によって発生する磁場をシールドすることができる。
この磁性体板１１９は、中間板部１１７の周囲を覆うように形成してもよく、中間板部１１７に流れる電流による磁場をシールドできればよい。
【００１９】
そして、固定接触子１１１及び１１２のＣ字状部１１５にそれぞれ、アークの発生を規制する合成樹脂材製の絶縁カバー１２１が装着されている。この絶縁カバー１２１は、図３及び図４（ａ）及び（ｂ）に示すように、Ｃ字状部１１５の上板部１１６及び中間板部１１７の内周面を被覆するとともに、固定接点支持絶縁基板１０５の内面も覆うものである。絶縁カバー１２１は、上板部１１６及び中間板部１１７の内面に沿うＬ字状板部１２２と、このＬ字状板部１２２の前後端部からそれぞれ上方及び外方に延長してＣ字状部１１５の上板部１１６及び中間板部１１７の側面を覆う側板部１２３及び１２４と、これら側板部１２３及び１２４の上端から内方側に形成された固定接触子１１１及び１１２の支持導体部１１４に形成された小径部１１４ｂに嵌合する嵌合部１２５と、この嵌合部１２５とは反対側に延長して固定接点支持絶縁基板１０５の内面を覆う延長部１２６とを備えている。延長部１２６の下面外周側には角筒体１０４の内側面に接するフランジ部１２７が形成されている。
【００２０】
そして、絶縁カバー１２１が、例えば図５（ａ）に示すように、固定接触子１１１及び１１２を取付けた後の接点収納ケース１０２を、固定接点支持絶縁基板１０５を下側とした状態で、上方の開口部から絶縁カバー１２１を図５（ａ）及び（ｂ）とは上下逆にした状態で、固定接触子１１１及び１１２間に挿入する。
次いで、図５（ｂ）に示すように、嵌合部１２５及び延長部１２６を固定接点支持絶縁基板１０５と平行とした状態で、図５（ｃ）に示すように、絶縁カバー１２１を外側に押し込むことにより、嵌合部１２５を固定接触子１１１及び１１２の支持導体部１１４の小径部１１４ｂに係合させて固定する。
【００２１】
このように、固定接触子１１１及び１１２のＣ字状部１１５に絶縁カバー１２１を装着することにより、このＣ字状部１１５の内周面では下板部１１８の上面側のみが露出されて接点部１１８ａとされている。
そして、固定接触子１１１及び１１２のＣ字状部１１５内に両端部を配置するように可動接触子１３０が配設されている。この可動接触子１３０は後述する電磁石ユニット２００の可動プランジャ２１５に固定された連結軸１３１に支持されている。この可動接触子１３０は、図１に示すように、中央部の連結軸１３１の近傍が下方に突出する凹部１３２が形成され、この凹部１３２に連結軸１３１を挿通する貫通孔１３３が形成されている。
【００２２】
連結軸１３１は、上端に外方に突出するフランジ部１３１ａが形成されている。この連結軸１３１に下端側から接触スプリング１３４に挿通し、次いで可動接触子１３０の貫通孔１３３を挿通して、接触スプリング１３４の上端をフランジ部１３１ａに当接させこの接触スプリング１３４で所定の付勢力を得るように可動接触子１３０を例えばＣリング１３５によって位置決めする。
【００２３】
この可動接触子１３０は、釈放状態で、両端の接点部１３０ａと固定接触子１１１及び１１２のＣ字状部１１５の下板部１１８の接点部１１８ａとが所定間隔を保って離間した状態となる。また、可動接触子１３０は、投入位置で、両端の接点部が固定接触子１１１及び１１２のＣ字状部１１５の下板部１１８の接点部１１８ａに、接触スプリング１３４による所定の接触圧で接触するように設定されている。
【００２４】
さらに、接点収納ケース１０２の角筒体１０４の内周面には、図１、図３及び図６に示すように、角筒部１４０ａとこの角筒部１４０ａの下面側に形成された底板部１４０ｂとで有底角筒状に形成された絶縁筒体１４０が配設されている。この絶縁筒体１４０は例えば合成樹脂製で角筒部１４０ａ及び底板部１４０ｂが一体成形されている。底板部１４０ｂは、図６に示すように、中央部の後述する可動プランジャ２１５の周鍔部２１６を下面側に保持する凹部１４０ｃと、この凹部１４０ｃに連接して後述する永久磁石２２０の突出部２２０ａ及び補助ヨーク２２５の突出部２２５ａを収納する幅狭の凹部１４０ｄとを備えており、凹部１４０ｄの上面が固定接触子１１１，１１２の接点部１１８ａの底面側を受ける受け面１４０ｅとされている。さらに、絶縁筒体１４０の底板部１４０ｂの四隅には後述する上部磁気ヨーク２１０に近づく最深部となるアーク消弧部１４０ｆが形成されている。
【００２５】
電磁石ユニット２００は、図１及び図７に示すように、側面から見て扁平なＵ字形状の磁気ヨーク２０１を有し、この磁気ヨーク２０１の底板部２０２の中央部に円筒状補助ヨーク２０３が固定されている。この円筒状補助ヨーク２０３の外側にスプール２０４が配置されている。
このスプール２０４は、円筒状補助ヨーク２０３を挿通する中央円筒部２０５と、この中央円筒部２０５の下端部から半径方向外方に突出する下フランジ部２０６と、中央円筒部２０５の上端から半径方向外方に突出する上フランジ部２０７とで構成されている。そして、中央円筒部２０５、下フランジ部２０６及び上フランジ部２０７で構成される収納空間に励磁コイル２０８が巻装されている。
【００２６】
そして、磁気ヨーク２０１の開放端となる上端間に上部磁気ヨーク２１０が固定されている。この上部磁気ヨーク２１０は、中央部にスプール２０４の中央円筒部２０５に対向する貫通孔２１０ａが形成されている。
そして、スプール２０４の中央円筒部２０５内に、底部と磁気ヨーク２０１の底板部２０２との間に復帰スプリング２１４を配設した可動プランジャ２１５が上下に摺動可能に配設されている。この可動プランジャ２１５には、上部磁気ヨーク２１０から上方に突出する上端部に半径方向外方に突出する周鍔部２１６が形成されている。
【００２７】
また、上部磁気ヨーク２１０の上面に、例えば外形が方形で円形の中心開口２２１を有して環状に形成された永久磁石２２０が可動プランジャ２１５の周鍔部２１６を囲むように固定されている。この永久磁石２２０は上下方向すなわち厚み方向に上端側を例えばＮ極とし、下端側をＳ極とするように着磁されている。この永久磁石２２０の可動接触子１３０と対向する両側面には位置決め用の突出部２２０ａが形成されている。なお、永久磁石２２０の中心開口２２１の形状は周鍔部２１６の形状に合わせた形状とし、外周面の形状は円形、方形等の任意の形状とすることができる。
【００２８】
そして、永久磁石２２０の上端面に、永久磁石２２０と同一外形で可動プランジャ２１５の周鍔部２１６の外径より小さい内径の貫通孔２２４を有する補助ヨーク２２５が固定されている。この補助ヨーク２２５にも図７に示すように、永久磁石２２０の位置決め用突出部２２０ａに対応して位置決め用突出部２２５ａが形成されている。この補助ヨーク２２５の下面に可動プランジャ２１５の周鍔部２１６が当接されている。
【００２９】
また、可動プランジャ２１５の上端面には可動接触子１３０を支持する連結軸１３１が螺着されている。
そして、可動プランジャ２１５が非磁性体製で有底筒状に形成されたキャップ２３０で覆われ、このキャップ２３０の開放端に半径方向外方に延長して形成されたフランジ部２３１が上部磁気ヨーク２１０の下面にシール接合されている。これによって、消弧室１０２及びキャップ２３０が上部磁気ヨーク２１０の貫通孔２１０ａを介して連通される密封容器が形成されている。そして、消弧室１０２及びキャップ２３０で形成される密封容器内に水素ガス、窒素ガス、水素及び窒素の混合ガス、空気、ＳＦ６等のガスが封入されている。
【００３０】
次に、上記実施形態の動作を説明する。
今、固定接触子１１１が例えば大電流を供給する電力供給源に接続され、固定接触子１１２が負荷に接続されているものとする。
この状態で、電磁石ユニット２００における励磁コイル２０８が非励磁状態にあって、電磁石ユニット２００で可動プランジャ２１５を下降させる励磁力を発生していない釈放状態にあるものとする。この釈放状態では、可動プランジャ２１５が復帰スプリング２１４によって、上部磁気ヨーク２１０から離れる上方向に付勢される。これと同時に、永久磁石２２０の磁力による吸引力が補助ヨーク２２５に作用されて、可動プランジャ２１５の周鍔部２１６が吸引される。このため、可動プランジャ２１５の周鍔部２１６の上面が補助ヨーク２２５の下面に当接している。
【００３１】
このため、可動プランジャ２１５に連結軸１３１を介して連結されている接点機構１０１の可動接触子１３０の接点部１３０ａが固定接触子１１１及び１１２の接点部１１８ａから上方に所定距離だけ離間している。このため、固定接触子１１１及び１１２間の電流路が遮断状態にあり、接点機構１０１が開極状態となっている。
このように、電磁石ユニット２００の釈放状態では、可動プランジャ２１５に復帰スプリング２１４による付勢力と環状永久磁石２２０による吸引力との双方が作用しているので、可動プランジャ２１５が外部からの振動や衝撃等によって不用意に下降することがなく、誤動作を確実に防止することができる。
【００３２】
この釈放状態から、電磁石ユニット２００の励磁コイル２０８を励磁すると、この電磁石ユニット２００で励磁力を発生させて、可動プランジャ２１５を復帰スプリング２１４の付勢力及び環状永久磁石２２０の吸引力に抗して下方に押し下げる。
そして、可動プランジャ２１５が復帰スプリング２１４の付勢力及び環状永久磁石２２０の吸引力に抗して速やかに下降する。これにより、可動プランジャ２１５の下降が、周鍔部２１６の下面が上部磁気ヨーク２１０の上面に当接することにより停止される。
【００３３】
このように、可動プランジャ２１５が下降することにより、可動プランジャ２１５に連結軸１３１を介して連結されている可動接触子１３０も下降し、その接点部１３０ａが固定接触子１１１及び１１２の接点部１１８ａに接触スプリング１３４の接触圧で接触する。
このため、外部電力供給源の大電流が固定接触子１１１、可動接触子１３０、及び固定接触子１１２を通じて負荷に供給される閉極状態となる。
【００３４】
この接点機構１０１の閉極状態から、負荷への電流供給を遮断する場合には、電磁石ユニット２００の励磁コイル２０８の励磁を停止する。
これによって、電磁石ユニット２００で可動プランジャ２１５を下方に移動させる励磁力がなくなることにより、可動プランジャ２１５が復帰スプリング２１４の付勢力によって上昇し、周鍔部２１６が補助ヨーク２２５に近づくに従って環状永久磁石２２０の吸引力が増加する。
【００３５】
この可動プランジャ２１５が上昇することにより、連結軸１３１を介して連結された可動接触子１３０が上昇する。これに応じて接触スプリング１３４で接触圧を与えている間は可動接触子１３０が固定接触子１１１及び１１２に接触している。その後、接触スプリング１３４の接触圧がなくなった時点で可動接触子１３０が固定接触子１１１及び１１２から上方に離間する開極状態となる。
【００３６】
この開極状態となると、固定接触子１１１及び１１２の接点部１１８ａと可動接触子１３０の接点部１３０ａとの間にアークが発生し、このアークによって電流の通電状態が継続される。このとき、固定接触子１１１及び１１２のＣ字状部１１５の上板部１１６及び中間板部１１７を覆う絶縁カバー１２１が装着されているので、アークが固定接触子１１１及び１１２の接点部１１８ａと可動接触子１３０の接点部１３０ａとの間のみに発生させることができる。このため、アークが固定接触子１１１及び１１２のＣ字状部１１５上を動くことを確実に防止してアークの発生状態を安定させることができ、消弧性能を向上させることができる。しかも、固定接触子１１１及び１１２の両側面も絶縁カバー１２１で覆われているので、アークの先端が短絡することも確実に防止することができる。
【００３７】
また、Ｃ字状部１１５の上板部１１６及び中間板部１１７が絶縁カバー１２１で覆われているので、可動接触子１３０の両端部とＣ字状部１１５の上板部１１６及び中間板部１１７の間の絶縁カバー１２１によって絶縁距離を確保することができ、可動接触子１３０の可動方向の高さを短縮することができる。したがって、接点装置１００を小型化することができる。
【００３８】
さらに、絶縁カバー１２１は、側面部１２３及び１２４と一体に嵌合部１２５とは反対側に延長する延長部１２６を有し、この延長部１２６が図３に示すように、固定接点保持絶縁基板１０５の内面を覆っている。このため、可動接触子１３０と固定接触子１１１及び１１２との間で発生するアーク１５０は、図３に示すように、その側面に形成されるアーク消弧空間１５１で大きく引き伸ばして消弧することができ、遮断性能を向上させることができる。ここで、アーク消弧空間１５１は、絶縁カバー１２１の側板部１２３，１２４と延長部１２６と、絶縁筒体１４０の角筒部１４０ａと底板部１４０ｂに形成されたアーク消弧部１４０ｆとで形成されており、金属部が露出することなく完全に囲まれている。このため、アークが固定接触子１１１，１１２の支持導体部１１４やＣ字状部１１５への回り込みを確実に防止することができ、これらの金属部との間にアークが接触して短絡状態となることを確実に回避することができる。
【００３９】
さらに、絶縁カバー１２１は、嵌合部１２５を、固定接触子１１１及び１１２の小径部１１４ｂに嵌合させるだけで、固定接触子１１１及び１１２に装着することができ、固定接触子１１１及び１１２への装着を容易に行うことができる。
なお、上記実施形態においては、接点装置１００の消弧室１０２を角筒体１０４及び固定接点支持絶縁基板１０５で構成する場合について説明したが、これに限定されるものではなく、他の構成とすることができる。例えば、図２（ｂ）に示すように、セラミックスや合成樹脂材によって角筒部３０１とその上端を閉塞する天面板部３０２とを一体成形して桶状体３０３を形成し、この桶状体３０３の開放端面側にメタライズ処理して金属箔を形成し、この金属箔に金属製の接続部材３０４をシール接合して消弧室１０２を形成するようにしてもよい。
【００４０】
また、上記実施形態においては、固定接触子１１１及び１１２にＣ字状部１１５を形成する場合について説明したが、これに限定されるものではなく、図８（ａ）及び（ｂ）に示すように、支持導体部１１４にＣ字状部１１５における上板部１１６を省略した形状となるＬ字状部１６０を連結するようにしてもよい。この場合には、支持導体部１１４の下面と中間板部１１７を覆うように絶縁カバー１２１を装着する。
【００４１】
また、上記実施形態においては、可動接触子１３０が中央部に凹部１３２を有する場合について説明したが、これに限定されるものではなく、図９（ａ）及び（ｂ）に示すように、凹部１３２を省略して平板状に形成するようにしてもよい。
また、上記実施形態においては、可動プランジャ２１５に連結軸１３１を螺合させる場合について説明したが、可動プランジャ２１５と連結軸１３１とを一体に形成するようにしてもよい。
【００４２】
また、連結軸１３１と可動接触子１３０との連結が、連結軸１３１の先端部にフランジ部１３１ａを形成し、接触スプリング１３４及び可動接触子１３０を挿通してから可動接触子１３０の下端をＣリングで固定する場合について説明したが、これに限定されるものではない。すなわち、連結軸１３１のＣリング位置に半径方向に突出する位置決め大径部を形成し、これに可動接触子１３０を当接させてから接触スプリング１３４を配置し、この接触スプリング１３４の上端をＣリングによって固定するようにしてもよい。
【００４３】
また、電磁石装置２００の構成は上記実施形態の構成に限定されるものではなく、任意の構成を適用することができる。
また、上記実施形態においては、接点収納ケース１０２及びキャップ２３０で密封容器を構成し、この密封容器内にガスを封入する場合について説明したが、これに限定されるものではなく、遮断する電流が低い場合にはガス封入を省略するようにしてもよい。
【符号の説明】
【００４４】
１０…電磁接触器、１１…外装絶縁容器、１００…接点装置、１０１…接点機構、１０２…接点収納ケース、１０４…角筒体、１０５…固定接点支持絶縁基板、１１１，１１２…固定接触子、１１４…支持導体部、１１５…Ｃ字状部、１１６…上板部、１１７…中間板部、１１８…下板部、１１８ａ…接点部、１２１…絶縁カバー、１２２…Ｌ字状板部、１２３，１２４…側板部、１２５…嵌合部、１２６…延長部、１３０…可動接触子、１３０ａ…接点部、１３１…連結軸、１３２…凹部、１３４…接触スプリング、１４０…絶縁筒体、１５０…アーク、１５１…アーク消弧空間、２００…電磁石ユニット、２０１…磁気ヨーク、２０３…円筒状補助ヨーク、２０４…スプール、２０８…励磁コイル、２１０…上部磁気ヨーク、２１４…復帰スプリング、２１５…可動プランジャ、２１６…周鍔部、２２０…永久磁石、２２５…補助ヨーク
【図１】
2014099374.tif 000003
【図２】
2014099374.tif 000004
【図３】
2014099374.tif 000005
【図４】
2014099374.tif 000006
【図５】
2014099374.tif 000007
【図６】
2014099374.tif 000008
【図７】
2014099374.tif 000009
【図８】
2014099374.tif 000010
【図９】
2014099374.tif 000011